(57)【特許請求の範囲】
【請求項１】
回転体が取付けられた第１回転軸を第１支持部材に回転可能に支持し、前記第１支持部材を第１回転軸に交差する第２回転軸に固定して軸受け部材に回転可能に支持させたうえに、軸受け部材には主動ギアを、第１回転軸には従動ギアを設けて、主動ギアと従動ギアとを噛合させた遊技機の回転表示装置であって、
第１回転軸を第１支持部材に対してスラスト方向に移動可能として、第１回転軸の一端には、従動ギアを主動ギアと噛合する方向に付勢する第１コイルバネを配設し、その他端には、従動ギアを主動ギアとの噛合を解除する方向に付勢する第２コイルバネを配設し、さらに従動ギアの主動ギアとの噛合解除方向への移動を阻止するストッパーを設けるものとし、該ストッパーを撓ませて、前記第１回転軸をスラスト方向に移動させることにより、前記従動ギアと前記主動ギアとの噛合を解除し、噛合位置を変更可能としたことを特徴とする遊技機の回転表示装置。
【請求項２】
軸受け部材と第２回転軸とを、それぞれ別個の駆動源により回転させるようにした請求項１に記載の遊技機の回転表示装置。  
【請求項３】
回転体の表示画面裏側と第１支持部材との間に、光拡散板を介装した請求項１または２に記載の遊技機の回転表示装置。
【発明の詳細な説明】
【技術分野】
【０００１】
本発明は、回転体の回転に伴い図柄等の情報を変動させて表示する遊技機の回転表示装置に関するものである。
【背景技術】
【０００２】
パチンコ機やパチスロ機においては、抽選時の図柄や文字等の情報を表示する際の表示態様を変化させて遊技の興趣を盛り上げるために、球体等の回転体を用いる回転表示装置を搭載したものがある。このような回転表示装置として、発明者の一人は特許文献１として、交差する二つの軸線回りに回転される回転体の回転駆動を簡単な構成により実現させた遊技機の回転表示装置を発明した。
【０００３】
特許文献１に開示した回転表示装置は、以下のように構成されたものである。すなわち、回転体を支持アームを介して第１回転軸の軸線Ｈ回りに回転可能に支持する。支持アームを軸線Ｈと交差する第２回転軸の軸線Ｖ回りに回転可能に支持し、ステッピングモータにより軸線Ｖ回りに回転駆動させる。また、第２回転軸に主動ギアを設けた軸受け部材を装着し、第１回転軸には従動ギアを設けて前記主動ギアに噛み合わせることで、支持アームの回転により回転体を軸線Ｖ回りに回転させて回転体を公転させるとともに、主動ギアを介して従動ギアを回転させて回転体を軸線Ｈ回りに自転させるようにしたものである。
【０００４】
しかしながら、上記発明に係るものは、一旦装置を組み付けてしまうと、主動ギアと従動ギアとの噛合を解除することができず、回転開始前の図柄等の情報の表示位置を最適な状態に調整することができなかった。このため組み付け時に図柄等の表示態様が最適になるように注意して主動ギアと従動ギアとの噛み合い位置を正しく噛み合わせねばならず、組立作業に時間を要するという問題があった。また、主動ギアと従動ギアの噛み合い深さも固定されてしまうので、バックラッシュにも注意して噛み合わせねばならないという問題があった。
【先行技術文献】
【特許文献】
【０００５】
【特許文献１】特開２００４−１４１２１９号公報
【発明の概要】
【発明が解決しようとする課題】
【０００６】
本発明は、上記した従来の問題点に鑑み、組み付け後にも情報の表示位置を調整可能な遊技機の回転表示装置を提供することを課題とする。
【課題を解決するための手段】
【０００７】
上記の課題を解決するためになされた本発明に係る遊技機の回転表示装置は、回転体が取付けられた第１回転軸を第１支持部材に回転可能に支持し、前記第１支持部材を第１回転軸に交差する第２回転軸に固定して軸受け部材に回転可能に支持させたうえに、軸受け部材には主動ギアを、第１回転軸には従動ギアを設けて、主動ギアと従動ギアとを噛合させた遊技機の回転表示装置であって、
第１回転軸を第１支持部材に対してスラスト方向に移動可能として、第１回転軸の一端には、従動ギアを主動ギアと噛合する方向に付勢する第１コイルバネを配設し、その他端には、従動ギアを主動ギアとの噛合を解除する方向に付勢する第２コイルバネを配設し、さらに従動ギアの主動ギアとの噛合解除方向への移動を阻止するストッパーを設けるものとし、該ストッパーを撓ませて、前記第１回転軸をスラスト方向に移動させることにより、前記従動ギアと前記主動ギアとの噛合を解除し、噛合位置を変更可能としたことを特徴とするものである。
【０００８】
上記した発明において、軸受け部材と第２回転軸とを、それぞれ別個の駆動源により回転させることができる。さらに、回転体の表示画面裏側と第１支持部材との間に、光拡散板を介装するのが望ましい。
【発明の効果】
【０００９】
請求項１の発明は、第１回転軸を第１支持部材に対してスラスト方向に移動可能として、この第１回転軸の一端に、従動ギアを主動ギアと噛合する方向に付勢する第１コイルバネを設けたので、バックラッシュを低減させて回転体を円滑に回転することができる。さらに、従動ギアの噛合解除方向への移動を阻止するストッパーを設けたので、ストッパーを解除して第１回転軸を摺動させることにより従動ギアの主動ギアとの噛合を解除することができる。これによって第１回転軸を回転させることができるので、装置の組み付け後であっても簡単な操作で回転体を回転させて表示情報を最適な位置に調整することができる。さらに、第１回転軸の他端には、従動ギアを主動ギアとの噛合を解除する方向に付勢する第２コイルバネを配設したので、プリロードを与えて調芯することができる。
請求項２の発明は、回転体が第２回転軸を回る公転と、第１回転軸を回る自転とを、別個独立して行うことができる。
請求項３の発明は、回転体に光源の光が投射されたり第１回転軸や主動ギアなどの駆動機構の影が投影されるのを、拡散板により防ぐことができる。
【図面の簡単な説明】
【００１０】
【図１】本発明の回転表示装置の構造を示す断面図である。
【図２】本発明の回転表示装置の要部断面図である。
【図３】本発明の回転表示装置の斜視図である。
【図４】従動ギアと従動ギアとの噛合が解除された回転表示装置の断面図である。
【図５】回転体の下方に照明基板を配設した回転表示措置の斜視図である。
【図６】光拡散板を備えた回転表示装置の内部を示す斜視図である。
【図７】光拡散板を透視して示す回転表示装置の斜視図である。
【発明を実施するための形態】
【００１１】
以下に、本発明の実施形態について説明する。
図１−３は、本発明の回転表示装置を示す図であって、１は図柄や文字等の情報が表示された回転体である。遊技者は、図示していない窓を通して、図１中矢印Ｓの方向から回転体１に表示された情報を視認する。回転体１は上部が凹状に凹まされていて凹部の底に取付板部１１が形成されている。
【００１２】
取付板部１１は固定部材１２に螺着されている。この固定部材１２には挿通孔１３が形成されていて、この挿通孔１３に斜めに傾斜した第１回転軸２のＤカット部１４が挿通されているので、第１回転軸２は固定部材１２に対してスライド可能であるとともに、第１回転軸２は固定部材１２と共に回転することができる。よって、回転体１は第１回転軸２の回転によって回転される。
【００１３】
第１回転軸２は、第１支持部材３の貫通孔３１に差し込まれている。貫通孔３１の両端にはベアリング３２が配設されているので、第１回転軸２は第１支持部材３に、第１回転軸２の軸線Ｐを中心として回転可能に支持されている。そして、第１回転軸２の他方の端部には従動ギア２１がナット２３により締め付け固定されている。
【００１４】
第１支持部材３は、第２回転軸５のＤカットされた先端にネジ５１により固定されている。第２回転軸５は第１モータ７の回転軸７１に直結されているので、第１支持部材３は第２回転軸５の軸線Ｒを中心に回転する（図１）。これによって、回転体１も第２回転軸５を中心に公転される。
【００１５】
軸受け部材６は、その挿通孔６１に第２回転軸５が挿通されており、挿通孔６１の両端には、ベアリング６２が配置されているので、軸受け部材６は第２回転軸５を中心に回転する。軸受け部材６の先端側には主動ギア６３が固定されていて、従動ギア２１と噛合されている。軸受け部材６の基端側には中間ギア６４が固定されていて、第２モータ８の回転軸８１に固定された駆動ギア８２と噛合されている。なお、主動ギア６３、従動ギア２１は傘歯車である。また、第２回転軸５と第１回転軸２とは同一平面上で斜めに交差している。
【００１６】
第２回転軸５は基端側に回転板５２を有し、この回転板５２には、位置検出用のスリット５３が設けられている。軸受け部材６の中間ギア６４にも回転板６５が設けられ、位置検出用のスリット６６を有する（図３）。回転板５２、６５の近傍にはそれぞれフォトセンサー７３、８３が配置されており、光の通過によってスリット５３、６６を検出する。なお、図３に示すフォトセンサー７３、８３は、スリット５３、６６を示すために位置をずらしてあるが、フォトセンサー７３、８３は回転板５２、６５を挟むように配置される。
【００１７】
第１回転軸２の上端にはブッシュ１５が固定されており、このブッシュ１５と固定部材１２との間には、第１コイルバネ１６が装着されている（図２）。第１コイルバネ１６は両者の間に引っ張られて装着されているので、第１回転軸２は、上方すなわち従動ギア２１を主動ギア６３に押し付ける方向に付勢されている。これにより、バックラッシュを最小限に抑えて回転斑をなくすことができる。また、固定部材１２には弾性片であるストッパー１７が配設されており、このストッパー１７は係止爪１８を有する。これにより、係止爪１８がブッシュ１５の鍔を係止して第１回転軸２の従動ギア２１方向への摺動を阻止することができる。さらに、第１コイルバネ１６により従動ギア２１が主動ギア６３に押し付けられている通常の状態において、係止爪１８とブッシュ１５の鍔との間には僅かな隙間が設けられているので、係止爪１８により主動ギア７３と従動ギア２１との隙間（＝バックラッシュ）の上限を規制することができる。
【００１８】
また、第１支持部材３の端部と従動ギア２１との間には、従動ギア２１を下方すなわち主動ギア６３から離れる方向に付勢する第２コイルバネ２２が装着されている。これにより、ボールベアリング３２、３２へプリロードを与え、調芯することができる。すなわち、固定部材１２側のボールベアリング３２には主として第１コイルバネ１６からのロードがかかり、従動ギア２１側のボールベアリング３２には第２コイルバネからのロードがかかるので、二つのボールベアリング３２、３２にプリロードがかかって調芯される。
【００１９】
回転体１の自転開始位置を位置決めするには、弾性片１７を撓ませて係止爪１８がブッシュ１５の鍔部と係合不能な位置に退避させたうえで、第１回転軸２を下方に押圧することによって、図４に示すように従動ギア２１の主動ギア６３との噛合を解除する。これによって、第１回転軸２は自由に回転することができるので、回転体１を回転させて所要の情報を正面に位置させることができる。なお、このとき、第１コイルバネ１６は圧縮され、第２コイルバネ２２は戻される。
【００２０】
以上のように構成された回転表示装置において、第１モータ７が回転されると第２回転軸５が回転され、これによって第１支持部材３は軸線Ｒ回りに回転されるので、回転体１も共に公転される。また、第２モータ８の作動により駆動ギア８２が駆動されて、中間ギア６４、主動ギア６３を介して従動ギア２１が回転される。これによって、回転体１は第１回転軸２の軸線Ｐ回りに自転される。自転、公転の制御はフォトセンサー７３、８３が、スリット５３、６６を検出することにより行われる。本発明においては、第１回転軸２と第２回転軸５とを別個のモータによって駆動されるようにしたので、回転体１が第２回転軸５を回る公転と、第１回転軸２を回る自転とを、遊技の内容に併せて独立して行うことができる。
【００２１】
以上のような回転表示装置は、半球状の回転体１の内部に光源を配設することが構造上困難であるので、図５に示すように回転体１の下方にＬＥＤなどの光源９１を備えた照明基板９が配設される。回転体１の表示画面（Ｓ側の面）と光源９１との距離が長いため表示画面に描かれた図柄等の情報を鮮明に映し出すには高輝度な光源９１が必要となる。高輝度な光源９１を用いた場合には、回転体１に光源９１のルックスの高い（光束発散度の高い）光が投射されたり第１支持部材３や主動ギア６３などの駆動機構の影が投影されて、見栄えが悪くなってしまう。そこで、図６、７に示すように、回転体１の表示画面裏側と第１支持部材３との間に、光拡散板１０を介装するのが望ましい。光拡散板１０は、第１支持部材３に設けた突棒３３の先端にネジにより固定されている。これにより光源９１の光や第１支持部材３などの影を受け止めて表示画面の見栄えが悪くなるのを防止することができる。なお、光拡散板１０として、表面にブラスト処理又はフレネルレンズ加工を行って微細な凹凸を形成した樹脂製などの導光板や光拡散剤を塗装した光拡散板を使用することができる。また、回転体１の内側にも光拡散剤が塗布してある。
【符号の説明】
【００２２】
１  回転体、２  第１回転軸、３  第１支持部材、５  第２回転軸、６  軸受け部材、１６  第１コイルバネ、１７  ストッパー、２１  従動ギア、６３  主動ギア、
【図１】
0005560421.tif 000002
【図２】
0005560421.tif 000003
【図３】
0005560421.tif 000004
【図４】
0005560421.tif 000005
【図５】
0005560421.tif 000006
【図６】
0005560421.tif 000007
【図７】
0005560421.tif 000008